(57)【要約】【課題】プラグインユニットをシェルフにスライド収納する場合のコネクタ嵌合速度を適正化して、コネクタが嵌合する際の衝撃を低減させることにより、電子回路の誤動作や損傷を抑止するシェルフとプラグインユニット等を提供することを目的とする。【解決手段】シェルフにスライド収納するプラグインユニットに備えられる挿抜装置であって、閉状態でシェルフに係合してロックされ開状態でロックが解放されるように枢動する挿抜レバーと、閉状態でシェルフのガイド孔に挿入動作可能となり、開状態で挿抜レバーに押圧されて相対移動しガイド孔に挿入動作不可能となる可動ガイドピンと、を備える挿抜装置とする。【選択図】図１
2012104767.tif 000002
【特許請求の範囲】
【請求項１】
シェルフにスライド収納するプラグインユニットに備えられる挿抜装置であって、
閉状態でシェルフに係合してロックされ開状態でロックが解放されるように枢動する挿抜レバーと、
前記閉状態で前記シェルフのガイド孔に挿入動作可能となり、前記開状態で前記挿抜レバーに押圧されて相対移動し前記ガイド孔に挿入動作不可能となる可動ガイドピンと、を備える
ことを特徴とする挿抜装置。
【請求項２】
請求項１に記載の挿抜装置において、
前記可動ガイドピンは前記ガイド孔に挿入される辺と前記ガイド孔に挿入されない他辺とを有するＬ字型であって、前記ガイド孔に挿入されない側の他辺を内包するシリンダを備え、前記開状態で前記挿抜レバーが前記シリンダを押圧することで、前記可動ガイドピンが前記シリンダに連動して前記ガイド孔に整合しないように移動する
ことを特徴とする挿抜装置。
【請求項３】
請求項２に記載の挿抜装置において、
筐体と前記シリンダとを係合する第一弾性体と、前記シリンダと前記可動ガイドピンとを係合する第二弾性体と、を備える
ことを特徴とする挿抜装置。
【請求項４】
請求項３に記載の挿抜装置において、
前記挿抜レバーが閉状態において、前記可動ガイドピンが前記ガイド孔に挿入された後、
前記可動ガイドピンが前記ガイド孔に挿入された状態で、一旦前記挿抜レバーが開状態とされて前記挿抜レバーが前記シェルフと係合してから再度前記挿抜レバーが閉状態とされることで、前記シェルフにロックされる
ことを特徴とする挿抜装置。
【請求項５】
請求項４に記載の挿抜装置において、
前記挿抜レバーが閉状態において、前記可動ガイドピンが前記ガイド孔に挿入される場合に、前記第一弾性体が伸展状態かつ前記第二弾性体が自然状態または伸展状態であり、
前記可動ガイドピンが前記ガイド孔に挿入された状態で、一旦前記挿抜レバーが開状態とされた状態では、前記第一弾性体が収縮状態かつ前記第二弾性体が伸展状態であり、
再度前記挿抜レバーが閉状態とされた状態では、前記第一弾性体が伸展状態である
ことを特徴とする挿抜装置。
【請求項６】
請求項５に記載の挿抜装置において、
前記第一弾性体は、板バネである
ことを特徴とする挿抜装置。
【請求項７】
請求項５または請求項６に記載の挿抜装置において、
前記第二弾性体は、コイルバネである
ことを特徴とする挿抜装置。
【請求項８】
請求項１乃至請求項７のいずれか一項に記載の挿抜装置において、
前記可動ガイドピンは金属製である
ことを特徴とする挿抜装置。
【請求項９】
請求項２乃至請求項７のいずれか一項に記載の挿抜装置において、
前記シリンダは金属製である
ことを特徴とする挿抜装置。
【請求項１０】
請求項１乃至請求項９のいずれか一項に記載の挿抜装置を備える
ことを特徴とするプラグインユニット。
【請求項１１】
請求項１０に記載のプラグインユニットをスライド収納するシェルフであって、
前記可動ガイドピンに対応するガイド孔を備える
ことを特徴とするシェルフ。
【請求項１２】
請求項１０に記載のプラグインユニットと、
請求項１１に記載のシェルフと、を備える
ことを特徴とする電子装置。
【請求項１３】
請求項５乃至請求項７のいずれか一項に記載の挿抜装置を備えるプラグインユニットをシェルフに装着する方法であって、
前記挿抜レバーが閉状態において、前記可動ガイドピンを前記シェルフのガイド孔に嵌合させる工程と、
前記可動ガイドピンが前記ガイド孔に嵌合した状態で前記挿抜レバーを開状態とする工程と、
前記挿抜レバーを前記シェルフに係合させる工程と、
前記可動ガイドピンが前記ガイド孔に嵌合した状態で前記挿抜レバーを閉状態とすると同時に、前記プラグインユニット側のコネクタと前記シェルフ側のコネクタとが完全に嵌合するように、前記プラグインユニットをロック状態までスライドさせる工程と、を有する
ことを特徴とするプラグインユニットをシェルフに装着する方法。
【発明の詳細な説明】
【技術分野】
【０００１】
本発明は、挿抜装置とそれを備えるプラグインユニットとシェルフ及びプラグインユニットをシェルフに装着する方法とに関する。
【背景技術】
【０００２】
従来、複数の電子部品が実装された複数のプラグインユニットを、シェルフに収納して構成された電子装置が知られている。図１０は、従来の電子装置２５００を説明する図である。図１０に示すように、電子装置２５００は、複数の電子部品が搭載された基板２５２０と表板２５２１とカードレバー２５２４とを備えるプラグインユニット２５５０をシェルフ２５１０にスライド収納して構成される。
【０００３】
プラグインユニット２５５０は、基板２５２０の辺縁部にコネクタ２５２２を備える。また、シェルフ２５１０のバックワイヤリングボード（ＢＷＢ）２５１４には、コネクタ２５２２に嵌合するコネクタ２５１３が配設されている。コネクタ２５２２，２５１３は、嵌合された両者の間で電気的または光学的な接続を形成する。
【０００４】
また、プラグインユニット２５５０は、基板２５２０の辺縁部にガイドピン受け部２５２３を備える。また、シェルフ２５１０のバックワイヤリングボード２５１４には、ガイドピン受け部２５２３に嵌合するガイドピン２５１２が立設されている。ガイドピン受け部２５２３は、ガイドピン２５１２を嵌合孔に沿って所定の位置関係にガイドすることで、コネクタ２５２２，２５１３間の嵌合をスムースに導く。
【０００５】
また、プラグインユニット２５５０は、シェルフ２５１０の内壁両側面に設けられたガイドレール２５１１に、基板２５２０を嵌合させて、シェルフ２５１０の最奥までスライドさせた後、カードレバー２５２４を作用させて固定ロックされる。
【０００６】
プラグインユニット２５５０がシェルフ２５１０に固定ロックされた状態では、コネクタ２５１３，２５２２間が嵌合して、電気的または光学的に接続される。また、この場合に、ガイドピン２５１２がガイドピン受け部２５２３に嵌合することで、コネクタ２５１３，２５２２間の接続を補助するとともに、プラグインユニット２５５０とシェルフ２５１０との間の固定ロックをより確実かつ安定化させる。
【０００７】
また、プラグインユニット２５５０がシェルフ２５１０にスライド収納される場合に、過剰な速度でスライド挿入されてコネクタ２５１３，２５２２間が激突し損傷等することを防止するために、プラグインレールの摺動下面に、摩擦材を配置することが提案されている。
【０００８】
上述した従来のプラグインレールや電子装置等は、例えば下記特許文献１等に開示されている。
【先行技術文献】
【特許文献】
【０００９】
【特許文献１】特開平８−２４２０８７号公報
【発明の概要】
【発明が解決しようとする課題】
【００１０】
従来のプラグインユニットにおいては、プラグインユニットをシェルフにスライド収納する時の速度が過剰となる場合には、コネクタが嵌合する際の衝撃が大きくなり、電子回路の誤動作や損傷が生じる懸念があった。また、プラグインレールの摺動下面に配設された摩擦材では、十分な減速効果を得られない場合も生じるとの懸念があった。
【００１１】
本発明は、プラグインユニットをシェルフにスライド収納する時に、スライド収納動作を一旦停止させることにより、速度が過剰になることを抑制して、コネクタが嵌合する際の衝撃を低減させることにより、電子回路の誤作動や損傷を抑止するシェルフやプラグインユニット等を提供することを目的とする。
【課題を解決するための手段】
【００１２】
本発明の挿抜装置は、シェルフにスライド収納するプラグインユニットに備えられる挿抜装置であって、閉状態でシェルフに係合してロックされ開状態でロックが解放されるように枢動する挿抜レバーと、閉状態でシェルフのガイド孔に挿入動作可能となり、開状態で挿抜レバーに押圧されて相対移動しガイド孔に挿入動作不可能となる可動ガイドピンとを備えることを特徴とする。
【００１３】
本発明の挿抜装置は、好ましくは可動ガイドピンがガイド孔に挿入される辺とガイド孔に挿入されない他辺とを有するＬ字型であって、ガイド孔に挿入されない側の他辺を内包するシリンダを備え、開状態で挿抜レバーがシリンダを押圧することで、可動ガイドピンがシリンダに連動してガイド孔に整合しないように移動することを特徴とする。
【００１４】
本発明の挿抜装置は、さらに好ましくは筐体とシリンダとを係合する第一弾性体と、シリンダと可動ガイドピンとを係合する第二弾性体と、を備えることを特徴とする。
【００１５】
本発明の挿抜装置は、さらに好ましくは挿抜レバーが閉状態において、可動ガイドピンがガイド孔に挿入された後、可動ガイドピンがガイド孔に挿入された状態で、一旦挿抜レバーが開状態とされて挿抜レバーがシェルフと係合してから再度挿抜レバーが閉状態とされることで、シェルフにロックされることを特徴とする。
【００１６】
本発明の挿抜装置は、さらに好ましくは挿抜レバーが閉状態において、可動ガイドピンがガイド孔に挿入される場合に、第一弾性体が伸展状態かつ第二弾性体が自然状態または伸展状態であり、可動ガイドピンがガイド孔に挿入された状態で、一旦挿抜レバーが開状態とされた状態では、第一弾性体が収縮状態かつ第二弾性体が伸展状態であり、再度挿抜レバーが閉状態とされた状態では、第一弾性体が伸展状態であることを特徴とする。
【００１７】
本発明の挿抜装置は、さらに好ましくは第一弾性体が、板バネであることを特徴とする。
【００１８】
本発明の挿抜装置は、さらに好ましくは第二弾性体が、コイルバネであることを特徴とする。
【００１９】
本発明の挿抜装置は、さらに好ましくは可動ガイドピンが金属製であることを特徴とする。
【００２０】
本発明の挿抜装置は、さらに好ましくはシリンダが金属製であることを特徴とする。
【００２１】
本発明のプラグインユニットは、上述のいずれかに記載の挿抜装置を備えることを特徴とする。
【００２２】
本発明のシェルフは、上述のプラグインユニットをスライド収納するシェルフであって、可動ガイドピンに対応するガイド孔を備えることを特徴とする。
【００２３】
本発明の電子装置は、上述のプラグインユニットと、上述のシェルフと、を備えることを特徴とする。
【００２４】
本発明のプラグインユニットをシェルフに装着する方法は、上述の挿抜装置を備えるプラグインユニットをシェルフに装着する方法であって、挿抜レバーが閉状態において、可動ガイドピンをシェルフのガイド孔に嵌合させる工程と、可動ガイドピンがガイド孔に嵌合した状態で挿抜レバーを開状態とする工程と、挿抜レバーをシェルフに係合させる工程と、可動ガイドピンがガイド孔に嵌合した状態で挿抜レバーを閉状態とすると同時に、プラグインユニット側のコネクタとシェルフ側のコネクタとが完全に嵌合するように、プラグインユニットをロック状態までスライドさせる工程と、を有することを特徴とする。
【発明の効果】
【００２５】
本発明により、プラグインユニットをシェルフにスライド収納する場合のコネクタ嵌合速度を適正化して、コネクタが嵌合する際の衝撃を低減させることにより、電子回路の誤動作や損傷を抑止するシェルフとプラグインユニット等を提供できる。
【図面の簡単な説明】
【００２６】
【図１】実施形態の挿抜装置の構成概要を説明する平面図である。
【図２】挿抜装置の挿抜レバーが閉状態である場合に、シェルフにスライド収納されるプラグインユニットに設けられた可動ガイドピンとガイド孔との関係を説明する概念図である。
【図３】挿抜装置の挿抜レバーが開状態である場合に、シェルフにスライド収納されるプラグインユニットに設けられた可動ガイドピンとガイド孔との関係を説明する概念図である。
【図４】挿抜装置が装着されたプラグインユニットを、シェルフにスライド収納する場合の操作及び収納状態を順次説明する図である。
【図５】挿抜装置が装着されたプラグインユニットを、シェルフにスライド収納する場合の操作及び収納状態を順次説明する図である。
【図６】挿抜装置が装着されたプラグインユニットを、シェルフにスライド収納する場合の操作及び収納状態を順次説明する図である。
【図７】挿抜レバーを閉状態としてプラグインユニットをシェルフにスライド収納する場合の操作フローを説明する図である。
【図８】挿抜装置を備えない従来のプラグインユニットを、挿抜レバーが開状態においてシェルフに挿入する状態を順次説明する図である。
【図９】挿抜装置を備えない従来のプラグインユニットを、挿抜レバーが閉状態においてシェルフに挿入する状態を順次説明する図である。
【図１０】従来の電子装置を説明する図である。
【図１１】実施形態の挿抜装置を備えるプラグインユニットを、挿抜レバーが開状態において、スライド収納動作開始した場合の、動作及び操作を説明するフロー図である。
【発明を実施するための形態】
【００２７】
実施形態で説明する挿抜装置は、プラグインユニットの表板側に装着され、所定の条件のもとでシェルフ側に設けられたガイド孔に挿入動作可能となりコネクタを嵌合可能とする可動ガイドピンを備える。所定の条件を満たさない場合には、可動ガイドピンがガイド孔からずれることで挿入動作が不可能となり、この挿抜装置を備えるプラグインユニットのシェルフへのスライド収納が阻止されて、コネクタ同士の嵌合も為されない。
【００２８】
この可動ガイドピンは、枢動する挿抜レバーの開閉動作に連動して、ガイド孔と整合したりガイド孔からずれたりする。挿抜レバーがロックされるべき閉状態においては、レバーの対向端がシェルフと接触することにより、スライド収納動作が阻止される。
【００２９】
また、挿抜レバーがロック解除される開状態においては、可動ガイドピンがガイド孔と整合しないことによりガイド孔への挿入動作が不可能となるので、スライド収納動作が阻止される。
【００３０】
すなわち、実施形態において説明する挿抜装置は、挿抜レバーの開閉状態に拘わらず、コネクタ同士が嵌合する直前において、スライド動作を一旦停止させることができる。そして一旦停止した後に、挿抜レバーがシェルフと係合することにより、挿抜レバーの枢動閉動作に伴う係合部からの反作用により、遅い速度で確実にコネクタ同士が嵌合することとなる。
【００３１】
これにより、各種情報処理装置等を含む電子装置が大容量化・高速化することに適応してコネクタが多ピン化・複雑化した場合においても、プラグインユニットが過剰に加速挿入されることで生じるコネクタでの衝撃発生を抑止し、安全かつ確実にコネクタを嵌合させることが可能な電子装置等を実現できる。また、これによりプラグインユニットの増設作業等顧客要望への対応時においても、より安全に作業を遂行することが可能となる。
【００３２】
図１は、実施形態の挿抜装置１０００の構成概要を説明する平面図である。挿抜レバー１０と挿抜レバー１０の枢軸１１と、これらを収納する筐体２０とを備える。また、挿抜装置１０００は、筐体２０内に保持されたシリンダ４０と、筐体２０から突出した一辺とシリンダ４０内に保持された他辺とを有するＬ字型の可動ガイドピン５０とを備える。
【００３３】
また、挿抜装置１０００は、筐体２０の内壁とシリンダ４０との間に係合された板バネ３０と、シリンダ４０の内壁と可動ガイドピン５０の一辺との間に係合されたコイルバネ６０とを備える。板バネ３０は第一弾性体に対応し、コイルバネ６０は第二弾性体に対応する。
【００３４】
板バネ３０が伸縮することにより、シリンダ４０は、不図示のプラグインユニットの表板近傍に固定された筐体２０に対して、相対的に移動することができる。また、コイルバネ６０が伸縮することにより、可動ガイドピン５０は、シリンダ４０に対して、相対的に移動することができる。
【００３５】
また、可動ガイドピン５０の突出した一辺は、シェルフ７０に設けられたガイド孔７１に整合して挿入されることで、プラグインユニットのコネクタとシェルフのコネクタとが嵌合する。
【００３６】
また、図１から理解されるように挿抜装置１０００は、挿抜レバー１０が枢軸１１を中心として時計方向に枢動することにより、挿抜レバー１０の対向端がシェルフ７０に係合して、梃子の原理により比較的ゆっくりと可動ガイドピン５０の突出方向へとスライドされてロックされる。
【００３７】
また、挿抜装置１０００は、挿抜レバー１０が反時計方向に枢動した場合には、その対向端におけるシェルフ７０との係合が解除される。また、この場合に、挿抜レバー１０の枢動に対応して、梃子の原理により比較的ゆっくりと可動ガイドピン５０の突出方向と逆方向にスライドされて、ロックが解除される。
【００３８】
図２は、挿抜装置１０００の挿抜レバー１０が閉状態である場合に、シェルフ７０にスライド収納されるプラグインユニット２００に設けられた可動ガイドピン５０とガイド孔７１との関係を説明する概念図である。
【００３９】
図２（ａ）がプラグインユニット２００に設けられたプラグインユニット側コネクタ２１０と、シェルフ７０のバックワイヤリングボード３００に設けられた装置側コネクタ３１０との関係を説明する図であり、図２（ｂ）が可動ガイドピン５０とガイド孔７１との関係を説明する詳細図であり、図２（ｃ）が図２（ｂ）のＡ−Ａ´で挿抜装置１０００を観察した断面図である。
【００４０】
図２に示すように挿抜装置１０００は、プラグインユニット２００の表板近傍の角隅に配置される。プラグインユニット２００をシェルフ７０にスライド収納する場合に、挿抜レバー１０が閉状態であれば、可動ガイドピン５０とガイド孔７１とが挿入可能な配置関係となる。
【００４１】
すなわち挿抜レバー１０が閉状態であれば、シリンダ４０が挿抜レバー１０に押圧されないので、シリンダ４０が板バネ３０に付勢されて矢印の方向へと移動する。また、可動ガイドピン５０及びコイルバネ６０は自由状態であるので、シリンダ４０とともに矢印の方向へと移動する。
【００４２】
これにより、可動ガイドピン５０とガイド孔７１とが挿入可能に対応することとなり、プラグインユニット２００のスライド収納動作に応じて、可動ガイドピン５０の先端部がガイド孔７１に挿入される。図２から理解されるように、挿抜レバー１０の対向端がシェルフ７０に阻まれてさらなるスライド収納動作を阻止するので、この状態においては可動ガイドピン５０の先端部のみがガイド孔７１に挿入されることが可能である。
【００４３】
図３は、挿抜装置１０００の挿抜レバー１０が開状態である場合に、シェルフ７０にスライド収納されるプラグインユニット２００に設けられた可動ガイドピン５０とガイド孔７１との関係を説明する概念図である。
【００４４】
図３（ａ）がプラグインユニット２００に設けられたプラグインユニット側コネクタ２１０と、シェルフ７０のバックワイヤリングボード３００に設けられた装置側コネクタ３１０との関係を説明する図であり、図３（ｂ）が可動ガイドピン５０とガイド孔７１との関係を説明する詳細図であり、図３（ｃ）が図３（ｂ）のＢ−Ｂ´で挿抜装置１０００を観察した断面図である。
【００４５】
図３に示すように挿抜装置１０００は、プラグインユニット２００の表板近傍の角隅に配置される。プラグインユニット２００をシェルフ７０にスライド収納する場合に、挿抜レバー１０が開状態であれば、可動ガイドピン５０がシリンダ４０とともに矢印方向（紙面左方向）へ移動するので、可動ガイドピン５０とガイド孔７１とが挿入可能な配置関係とならない。
【００４６】
すなわち挿抜レバー１０が開状態であれば、シリンダ４０が挿抜レバー１０の側面に押圧されるので、シリンダ４０が板バネ３０を収縮させて矢印方向へと移動する。また、可動ガイドピン５０及びコイルバネ６０は自然状態であるので、シリンダ４０とともに矢印の方向へと移動する。なおこの場合に、コイルバネ６０は伸展状態であって、可動ガイドピン５０をシリンダ４０の左側内壁側面に押圧していてもよい。
【００４７】
これにより、可動ガイドピン５０とガイド孔７１とが挿入動作不可能な位置関係となるので、プラグインユニット２００のスライド収納動作に応じて、可動ガイドピン５０の先端部がガイド孔７１からずれたシェルフ７０に当接し、それによりスライド収納動作が阻止される。このように、挿抜装置１０００の可動ガイドピン５０がシェルフ７０に阻まれてさらなるスライド収納動作を阻止するので、仮に加速挿入をされていたとしてもコネクタ同士が接触する前に、プラグインユニット２００のスライド収納動作を停止させることができる。
【００４８】
すなわち、図２と図３とに示すように、挿抜レバー１０が開状態にある場合の枢軸１１と、シリンダ４０と挿抜レバー１０との当接面と、の距離は、挿抜レバー１０が閉状態にある場合の枢軸１１と、シリンダ４０に最近接する挿抜レバー１０と、の距離よりも遠い。なお、挿抜レバー１０が閉状態にある場合に、可動ガイドピン５０とガイド孔７１とが挿入動作可能なように対応する位置関係を有する限りにおいて、挿抜レバー１０とシリンダ４０とは接触していても離間していてもいずれでもよい。
【００４９】
従って、挿抜レバー１０が開状態にある場合には、シリンダ４０が枢軸１１からより遠くへ押圧移動されることとなり、シリンダ４０に係合されたコイルバネ６０と共に可動ガイドピン５０が、枢軸１１からより遠くへ移動して、ガイド孔７１へ挿入動作できないように位置ずれする。
【００５０】
図２と図３とから理解できるように、挿抜装置１０００は、挿抜レバー１０の開閉状態に拘わらず、コネクタ同士が接触する前に、常にプラグインユニット２００のスライド収納動作を停止させることができるので、過剰な挿入速度によるコネクタへの衝撃や損傷を抑止できる。
【００５１】
図４乃至図６は、挿抜装置１０００が装着されたプラグインユニット２００を、シェルフ７０にスライド収納する場合の操作及び収納状態を順次説明する図である。図４乃至図６においては、図１乃至図３と対応する部位には同一の符号を付して説明の重複を避けるためにここではその説明を省略する。
【００５２】
図４（ａ）に示すように、挿抜レバー１０を閉状態として可動ガイドピン５０とガイド孔７０とが挿入動作可能な位置関係とした状態で、プラグインユニット２００をシェルフ７０内へとスライドさせる。図４（ａ）においては、コイルバネ６０が自然状態である。
【００５３】
また、図４（ｂ）に示すように、プラグインユニット側コネクタ２１０と装置側コネクタ３１０とが接触する直前に、挿抜レバー１０の対向端がシェルフ７０に接触してスライド動作が停止する。挿抜レバー１０の対向端がシェルフ７０に接触してスライド動作が停止した状態において、可動ガイドピン５０の少なくとも先端部分がガイド孔７１に挿入され、可動ガイドピン５０は、スライド動作方向を除く他の方向への移動が制限された状態となる。図４（ｂ）においてはコイルバネ６０が自然状態であるが、その後図４（ｂ）に示す矢印の方向（反時計方向）に挿抜レバー１０を枢動させる。
【００５４】
なお、図４に示す状態においてはコイルバネ６０が収縮した状態であってもよく、この場合には、コイルバネ６０によりシリンダ４０の紙面左側内壁に付勢されて位置決めされる可動ガイドピン５０が、ガイド孔７１と挿入可能な位置に対向することとなる。
【００５５】
図５（ａ）は、挿抜レバー１０の対向端がシェルフ７０に接触してスライド動作が停止した状態から、挿抜レバー１０を一旦開状態とするように矢印方向（反時計方向）に枢動させる状態を説明する図である。図５（ａ）から理解されるように、シリンダ４０が挿抜レバー１０の側壁に押圧されて枢軸１１からより遠い位置へと移動する。一方、可動ガイドピン５０は、少なくともその先端部分がガイド孔７１に挿入されて移動を制限されているので、シリンダ４０のみが相対的に移動することとなり、板バネ３０が収縮しかつコイルバネ６０が伸展する。
【００５６】
図５（ｂ）は、挿抜レバー１０がさらに矢印方向（反時計方向）に枢動されて、挿抜レバー１０が完全に開状態とされた場合について説明する図である。図５（ｂ）から理解されるように、挿抜レバー１０の側面に押圧されたシリンダ４０が枢軸１１から最も遠い位置にまで移動することにより、板バネ３０が最も収縮した状態となりかつコイルバネ６０が最も伸展した状態となる。
【００５７】
また、挿抜レバー１０の対向端がシェルフ７０のエッジを係合可能なように、挿抜レバーの凹部とエッジとが対向することで、凹部に対応する距離だけさらに奥へとスライド動作可能な距離が形成される。
【００５８】
図６（ａ）に示すように、凹部に対応する距離だけさらに奥へとプラグインユニット２００がスライド動作されることにより、プラグインユニット側コネクタ２１０と装置側コネクタ３１０との嵌合が準備される段階となることが好ましい。プラグインユニット側コネクタ２１０と装置側コネクタ３１０との嵌合が準備される段階とは、例えば、コネクタピン同士が未だ接触せず電気的な接続は形成されていないが、機械的には一部嵌合（例えばコネクタケースの先端部同士が嵌合）した段階である。
【００５９】
図６（ｂ）は、挿抜レバー１０の対向端がシェルフ７０のエッジに係合した状態で、挿抜レバー１０を矢印の向き（時計方向）に枢動させた状態を説明する図である。挿抜レバー１０を時計方向に枢動させることにより、シェルフ７０のエッジに係合した挿抜レバー１０の対向端が、反作用によりシェルフ７０からスライド収納動作方向への力を付与され枢軸１１を介してプラグインユニット２００に伝達される。従って、プラグインユニット側コネクタ２１０は、挿抜レバー１０の時計方向への枢動に伴い、枢動梃子の原理によってゆっくりとかつ確実に装置側コネクタ３１０に嵌合され、電気的または光学的な接続が為され、かつ挿抜レバー１０が閉状態でロックされることとなる。
【００６０】
ここで、挿抜レバー１０がロックされるとは、挿抜レバー１０の動作が不可能なように完全に固定されることのみを意味するものではない。図６（ｂ）に示す状態においても、オペレータは挿抜レバー１０を反時計方向に人為的に枢動操作することは可能である。すなわち、挿抜レバー１０がロックされるとは、振動や傾き等に起因してプラグインユニット２００がシェルフ７０から出ようとする作用に対して、これを抑止する程度の抑止力が操作レバー１０とシェルフ７０との係合部分等により、プラグインユニット２００に付与されることを意味する。挿抜レバー１０の枢動動作に要する力のモーメントがプラグインユニット２００の突出を抑止できる程度に大きくても、梃子の原理によって挿抜レバー１０の操作は比較的小さな力で遂行できる。
【００６１】
図７は、挿抜レバー１０を閉状態としてプラグインユニット２００をシェルフ７０にスライド収納する場合の操作フローを説明する図である。図７に示す各ステップの操作及び状態について、図４乃至図６を適宜参照しながら以下に順次説明する。
【００６２】
（ステップＳ７１０）
挿抜レバー１０を閉状態として、プラグインユニット２００をシェルフ７０の奥へスライド動作させる。このステップＳ７１０は、図４（ａ）に対応する。
【００６３】
（ステップＳ７２０）
可動ガイドピン５０が、シェルフ７０のガイド孔７１に一部挿入されたか否かを判断する。可動ガイドピン５０がシェルフ７０のガイド孔７１に一部挿入された場合にはステップＳ７３０へと進み、可動ガイドピン５０がシェルフ７０のガイド孔７１に一部挿入されていない場合にはステップＳ７１０へと戻る。可動ガイドピン５０の挿入有無は、シェルフ７０の側面からの観察により確認可能である。
【００６４】
また、挿抜レバー１０の対向端が、シェルフ７０に当接してスライド動作が停止する。このステップＳ７２０は、図４（ｂ）に対応する。但し、オペレータから可動ガイドピン５０の挿入有無を確認困難な場合には、挿抜レバー１０の対向端がシェルフ７０に当接してスライド動作が停止したか否かをもって、ステップＳ７２０の判断に代えることができる。
【００６５】
（ステップＳ７３０）
挿抜レバー１０を開状態として起こす。このステップＳ７３０は、図５（ａ）と図５（ｂ）とに対応する。挿抜レバー１０の反時計方向への操作により、シリンダ４０は挿抜レバー１０に押圧されて、枢軸１１からより離間するように移動する。この場合に、可動ガイドピン５０はガイド孔７１に拘束されているので移動せず、板バネ３０が収縮するとともにコイルバネ６０が伸展することで、シリンダ４０のみが移動する。また、挿抜レバー１０が完全に開状態にされると、挿抜レバー１０の対向端とシェルフ７０との接触が解かれ、挿抜レバー１０の凹部に対応するだけのスライド動作可能な空間が形成される。
【００６６】
（ステップＳ７４０）
プラグインユニット２００を、挿抜レバー１０の凹部に対応する空間相当だけ、シェルフ７０の奥へとさらにスライド動作させる。これにより、挿抜レバー１０の凹部内壁とシェルフ７０の辺縁部とが当接して、さらなるスライド収納動作が阻止されて、プラグインユニット２００のスライド収納動作が再び停止する。このステップＳ７４０は、図６（ａ）に対応する。
【００６７】
（ステップＳ７５０）
オペレータは、挿抜レバー１０の凹部を形成する爪がシェルフ７０端を係合したか否かを判断する。オペレータは、挿抜レバー１０を軽く時計方向へと閉める動作を遂行し、その操作力の重軽及びプラグインユニット２００の軽微な動き有無でもって、挿抜レバー１０とシェルフ７０との係合有無を判断できる。挿抜レバー１０がその凹部内にシェルフ７０端を係合していれば、挿抜レバー１０の動作に伴い枢軸１１を介してプラグインユニット２００にスライド収納動作方向の力が加わるので、挿抜レバー１０の操作が適度に重くなるとともにプラグインユニット２００がスライド収納動作方向に微動する。
【００６８】
挿抜レバー１０の凹部を形成する爪がシェルフ７０端を係合した場合にはステップＳ７６０へと進み、挿抜レバー１０の凹部を形成する爪がシェルフ７０端を係合していない場合にはステップＳ７４０へと戻る。
【００６９】
（ステップＳ７６０）
挿抜レバー１０を時計方向に枢動させて閉状態とする。挿抜レバー１０の枢動動作に対応して、シェルフ７０に係合する挿抜レバー１０の爪がシェルフ７０を押圧し、その反作用を受けた挿抜レバー１０が枢軸１１を介してスライド収納動作を推進する力をプラグインユニット２００に付与する。さらに、挿抜レバー１０を枢動させる力の向きが、プラグインユニット２００をスライド収納動作させる方向と合致するので、極めて容易にコネクタ同士を嵌合させることが可能となる。
【００７０】
さらに、オペレータが挿抜レバー１０を操作する場合の挿抜レバー１０の枢動速度は枢軸１１から力点までの距離に応じて、梃子の原理により減速されてシェルフ７０の端を押圧する速度となる。このため、過剰な嵌合速度とならずに適正な速度でプラグインユニット側コネクタ２１０と装置側コネクタ３１０とを嵌合させることができる。このステップＳ７６０は、図６（ｂ）に対応する。
【００７１】
図１１は、実施形態の挿抜装置１０００を備えるプラグインユニット２００を、挿抜レバー１０が開状態において、スライド収納動作開始した場合の、動作及び操作を説明するフロー図である。
【００７２】
（ステップＳ１１１０）
挿抜レバー１０が開状態において、プラグインユニット２００をシェルフ７０へとスライド収納動作させる。
【００７３】
（ステップＳ１１２０）
可動ガイドピン５０が、シェルフ７０に当接し、スライド収納動作が一旦停止される。その後、図７に説明するステップＳ７１０へと進む。
【００７４】
図８は、挿抜装置１０００を備えない従来のプラグインユニット７２００を、挿抜レバー７１０が開状態においてシェルフ７３００に挿入する状態を順次説明する図である。図８に示すようにプラグインユニット７２００は、挿抜レバー７１０とプラグインユニット側コネクタ７２１０とを備える。また、シェルフ７７０のバックワイヤリングボード７３００は、装置側コネクタ７３１０を備える。
【００７５】
図８（ｂ）から理解できるようにシェルフ７７０に衝突した挿抜レバー７１０は、プラグインユニット７２００が挿入される速度により、時計方向へ枢動させる力を付与されて、図８（ｃ）に示すように挿抜レバー７１０が枢動して自動的にロックされる。
【００７６】
すなわち、図８に示すプラグインユニット７２００においては、可動ガイドピン５０を備えないため、過剰な速度でスライド収納される動作があった場合には、これを一旦停止させることができない。そして、相当の速度を維持したまま過剰な速度でコネクタ同士の嵌合動作が為される懸念があった。このため、既にシェルフ７７０に装着済の他のプラグインユニット等のコネクタ同士の電気的または光学的な接続が瞬断されたり、コネクタが破損したりする懸念があった。
【００７７】
また、図９は、挿抜装置１０００を備えない従来のプラグインユニット７２００を、挿抜レバー８１０が閉状態においてシェルフ７３００に挿入する状態を順次説明する図である。図８に示すようにプラグインユニット８２００は、挿抜レバー８１０とプラグインユニット側コネクタ８２１０とを備える。また、シェルフ８７０のバックワイヤリングボード８３００は、装置側コネクタ８３１０を備える。
【００７８】
図９に示すように、挿抜レバー８１０が閉状態においては、挿抜レバー８１０の対向端がシェルフ８７０に接触することにより、加速挿入されたプラグインユニット８２００は、一旦停止することとなる。
【００７９】
上述したように挿抜レバー１０００を備えたプラグインユニット２００をシェルフ７０に挿入する場合には、プラグインユニット側コネクタ２１０と装置側コネクタ３１０とが嵌合する前に、可動ガイドピン５０とガイド孔７１近傍のシェルフ７０がストッパとなり、過剰な勢いでシェルフ７０に挿入されることを防止する。また、オペレータが挿抜レバー１０００を人為的に必ず枢動操作しなければコネクタ同士を嵌合させることができない構造を提供するので、コネクタやシェルフに過大な衝撃が加えられることを抑止できる。
【００８０】
特に、高密度化・高速伝送化の傾向にある電子装置等において、複雑化・多ピン化されたコネクタ構造への衝撃を抑止することで、より信頼性の高いプラグインユニット増設作業が遂行できることとなる。挿抜装置１０００を備えたプラグインユニット２００により、実装しようとするコネクタの破損や実装済みコネクタの一時的な導通不良に起因する信号エラーの発生を低減可能な電子装置等とできる。
【００８１】
上述した挿抜装置２００やプラグインユニット２００やシェルフ７０等は、実施形態での説明に限定されることはなく、開示される技術思想のもと自明な範囲内で、適宜その構造や動作を変更することができる。
【産業上の利用可能性】
【００８２】
本発明は、各種情報処理装置等を含む電子装置等一般に幅広く適用できる。
【符号の説明】
【００８３】
１０・・挿抜レバー、１１・・枢軸、２０・・筐体、３０・・板バネ、４０・・シリンダ、５０・・可動ガイドピン、６０・・コイルバネ、７０・・シェルフ、７１・・ガイド孔、１０００・・挿抜装置。
【図１】
2012104767.tif 000003
【図２】
2012104767.tif 000004
【図３】
2012104767.tif 000005
【図４】
2012104767.tif 000006
【図５】
2012104767.tif 000007
【図６】
2012104767.tif 000008
【図７】
2012104767.tif 000009
【図８】
2012104767.tif 000010
【図９】
2012104767.tif 000011
【図１０】
2012104767.tif 000012
【図１１】
2012104767.tif 000013